(57)【要約】【課題】複数の内線端末を収容する電話会議主装置において、端末が備えるプログラマブルキーに参加者の情報を表示可能な技術を提供する。【解決手段】区分別プログラマブルキー割当部１６が所定のイベントを受信したならば、区分リスト１７０およびキー割当リスト１８０の生成または更新を行い複数のプログラマブルキーに対する１以上の参加者の割当を変更すると共に、主装置制御部１３によって複数のプログラマブルキーに対してランプ表示を行うことで、各々のプログラマブルキーに割り当てた会議参加者を視覚的に表示する。これにより、複数の内線端末と外線が参加する電話会議において、電話機に具備されたプログラマブルキーの数以上に多数の参加者の情報を表示できるようになり、会議中に参加者が増加し、参加者の数が主催者の想定した人数以上となった場合でも、プログラマブルキーが不足せず利便性が損なわれる事の無い会議通話を提供できる。【選択図】図１
2018160741.tif 000002
【特許請求の範囲】
【請求項１】
複数のプログラマブルキーを備えた複数の内線端末および１以上の外線を収容し、前記収容する外線また内線端末から送られてきた通話音声または通信映像を合成して配信する電話会議機能を備えた電話会議主装置であって、  
予め電話会議に参加する参加者の電話番号と、当該参加者による電話会議の開催を要求する会議開催要求コマンドと、を対応付けた会議リストとして登録する会議リスト記憶手段と、
複数の内線端末のいずれかから会議開催要求コマンドを受付けると、前記会議リスト記憶手段から会議開催要求コマンドに対応する前記参加者の電話番号を抽出する参加者電話番号・会議形態制御手段と、
前記参加者電話番号・会議形態制御手段から抽出された前記参加者の電話番号に対応する複数の端末を呼出し、呼出し先の端末が応答したならば、応答した呼出先の端末と自電話会議主装置の間の通話を確立し、確立した前記通話が3つ以上の場合ならば、前記電話会議機能を用いて端末間の電話会議を起動する主装置制御手段と、
前記電話会議の参加者を前記参加者の電話番号に対する所定のルールに基づいて区分し、区分された１以上の参加者を前記複数のプログラマブルキーの何れかに割り当てる区分別プログラマブルキー割当手段と、
前記所定のルールに基づいて区分した、前記参加者の電話番号を、区分毎のプログラマブルキー番号と対応付け、区分毎に区分番号を割り当てた区分リストとして登録する区分リスト記憶手段と、
前記区分リストに割り当てられた前記区分番号、または前記参加者の電話番号をプログラマブルキー番号と対応付けたキー割当リストとして登録するキー割当リスト記憶手段と、
を有し、
前記区分別プログラマブルキー割当手段が、前記主装置制御手段から所定のイベントを受け付けたならば、前記区分リストおよび前記キー割当リストの生成または更新を行い、前記複数のプログラマブルキーに対する１以上の参加者の割当を変更すると共に、前記主装置制御手段によって前記複数のプログラマブルキーに対してランプ表示を行うことで、各々のプログラマブルキーに割り当てた会議参加者を視覚的に表示することを特徴とする、会議参加者表示機能を備える電話会議主装置。
【請求項２】
請求項１に記載の電話会議主装置において、
前記区分別プログラマブルキー割当手段は、
前記区分リストおよび前記キー割当リストを生成した際に、前記参加者の電話番号のうち、市外局番が同一である前記参加者の電話番号の有無、または内線番号である前記参加者の電話番号の有無を判定することによって、前記参加者の電話番号の区分を決定し、前記区分リストおよび前記キー割当リストにレコードを追加し、区分毎に割り当てた前記区分番号、または前記参加者の電話番号を前記キー割当リストに割り当てることを特徴とする、会議参加者表示機能を備える電話会議主装置。
【請求項３】
請求項１に記載の電話会議主装置において、
前記区分別プログラマブルキー割当手段は、
前記電話会議中に新たな参加者が加わった場合、前記新たな参加者の電話番号が前記区分リストのうちいずれかに属するか、または既存の参加者の電話番号と共に新たな区分リストとして追加されるか、または前記新たな参加者の電話番号が前記キー割当リストに登録されるかを判定し、前記区分リストおよび前記キー割当リストを更新する、あるいは、
前記電話会議中に参加している参加者が会議から離席した場合、前記離席した参加者の電話番号を前記区分リストおよび前記キー割当リストから検索し、当該電話番号を削除すると共に、前記参加者が離席した結果、当該電話会議の参加者数が2人以下となった場合は電話会議を終了すると共に、前記区分リストおよび前記キー割当リストを削除し、前記電話会議開催中に参加者が増減し、プログラマブルキーの割当を変更する必要が発生した場合でもプログラマブルキーの割当を即座に変更し、主催者端末に反映させることができることを特徴とする、会議参加者表示機能を備える電話会議主装置。
【発明の詳細な説明】
【技術分野】
【０００１】
本発明は、複数のプログラマブルキーを備えた内線端末を収容する電話会議主装置に関し、特に電話会議の主催者に対して少ないプログラマブルキーで多数の電話会議参加者の情報を取得し、電話会議参加者の状態を内線端末が備えるプログラマブルキーに表示可能とする技術に関する。
【背景技術】
【０００２】
従来技術として、特許文献１には、予め会議主催者の内線電話機の会議ブロック（ブロック番号）と、会議に参加する複数の会議参加者の電話番号を対応付けて参加者リストとして電話交換装置に登録しておき、電話交換装置が、収容する電話会議の会議主催者の内線電話機から、当該内線電話機が備えるプログラマブルキーが押下され前記会議ブロックを含む信号を検出すると、前記参加者リストから検出した信号の会議ブロックに対応する参加者の電話番号を全て呼出して電話会議への参加を要請すると共に、当該電話会議への参加を承認した者の内線電話機による電話会議を実現する技術が記載されている。
【０００３】
さらに、特許文献１には、電話交換装置は、前記電話会議への参加を承認した会議参加者の情報を主催者の内線電話機のプログラマブルキーに割り当てて表示する技術が記載されている。
【先行技術文献】
【特許文献】
【０００４】
【特許文献１】特開２００８−５１８８号公報
【発明の概要】
【０００５】
しかしながら、特許文献１に記載の電話交換装置は、基本的にプログラマブルキーと参加者の内線電話機は１対１で割り当てられており、内線電話機が備えるプログラマブルキーの数以上の会議参加者がある場合は適用できないという問題がある。
【０００６】
また、上述の問題に対する解決方法として、主催者側の内線電話機に、表示できない会議参加者のためのコンソールを準備して表示することについても記載されているが、その場合は、主催者がコンソールを事前に準備しなければならず煩雑である。
【０００７】
さらに、例えば、会議中において参加者が増え、主催者が想定した参加人数以上になると対応できないという問題もある。
【発明が解決しようとする課題】
【０００８】
本発明は、上記事情に鑑みてなされたものであり、その目的は、電話会議主装置において、収容する複数の内線端末が備えるプログラマブルキーの数以上の参加者が存在する電話会議において予めコンソールを準備せずとも各参加者の情報を内線電話機のプログラマブルキーに表示することが可能な技術を提供することにある。
【課題を解決するための手段】
【０００９】
上記の課題を解決するために、本発明は、複数のプログラマブルキーを備えた複数の内線端末および１以上の外線を収容し、前記収容する外線また内線端末から送られてきた通話音声または通信映像を合成して配信する電話会議機能を備えた電話会議主装置であって、予め電話会議に参加する参加者の電話番号と、当該参加者による電話会議の開催を要求する会議開催要求コマンドと、を対応付けた会議リストとして登録する会議リスト記憶手段と、複数の内線端末のいずれかから会議開催要求コマンドを受付けると、前記会議リスト記憶手段から会議開催要求コマンドに対応する前記参加者の電話番号を抽出する参加者電話番号・会議形態制御手段と、前記参加者電話番号・会議形態制御手段から抽出された前記参加者の電話番号に対応する複数の端末を呼出し、呼出し先の端末が応答したならば、応答した呼出先の端末と自電話会議主装置の間の通話を確立し、確立した前記通話が3つ以上の場合ならば、前記電話会議機能を用いて端末間の電話会議を起動する主装置制御手段と、前記電話会議の参加者を前記参加者の電話番号に対する所定のルールに基づいて区分し、区分された１以上の参加者を前記複数のプログラマブルキーの何れかに割り当てる区分別プログラマブルキー割当手段と、前記所定のルールに基づいて区分した、前記参加者の電話番号を、区分毎のプログラマブルキー番号と対応付け、区分毎に区分番号を割り当てた区分リストとして登録する区分リスト記憶手段と、前記区分リストに割り当てられた前記区分番号、または前記参加者の電話番号をプログラマブルキー番号と対応付けたキー割当リストとして登録するキー割当リスト記憶手段と、を有し、前記区分別プログラマブルキー割当手段が、前記主装置制御手段から所定のイベントを受け付けたならば、前記区分リストおよび前記キー割当リストの生成または更新を行い、前記複数のプログラマブルキーに対する１以上の参加者の割当を変更すると共に、前記主装置制御手段によって前記複数のプログラマブルキーに対してランプ表示を行うことで、各々のプログラマブルキーに割り当てた会議参加者を視覚的に表示することを特徴とする。
【発明の効果】
【００１０】
本発明によれば、複数の内線端末と外線が参加する電話会議において、参加者を連絡先電話番号毎に所定のルールで区分し、参加者を特定のプログラマブルキーに割り当てることで、実際に電話機に具備されたプログラマブルキーの数以上に多数の参加者の情報を表示できるようになる。さらに、会議中に参加者が増加し、参加者の数が主催者が想定した人数以上となった場合でも、プログラマブルキーが不足する事無く、利便性が損なわれることの無い会議通話を提供することができる。
【図面の簡単な説明】
【００１１】
【図１】図１は、本発明の一実施形態に係る電話システムの全体構成並びに電話会議主装置１の機能ブロック図である。
【図２】図２は、電話会議主装置１が電話会議を開催する場合の動作フローチャートである。
【図３】図３は、電話会議主装置１が電話会議中の動作フローチャートである。
【図４】図４は、本発明における、会議リスト１５０を模式的に表した図である。
【図５】図５は、本発明における、区分リスト１７０を模式的に表した図である。
【図６】図６は、本発明における、キー割当リスト１８０を模式的に表した図である。
【発明を実施するための形態】
【００１２】
以下、本発明を実施する一形態について、図面を用いて説明する。
【００１３】
図１は、本発明の一実施形態に係る電話システムの全体構成並びに電話会議主装置１の機能ブロック図である。
【００１４】
図示するように、本発明の電話システムは、本発明の発明対象である電話会議主装置１と、電話会議主装置１に収容される内線端末２（２−１、２−２、・・・２−Ｎ）とから構成される。
【００１５】
電話会議主装置１は公衆網である電話網３に接続し内線および外線を制御する構内交換機である。また、電話会議主装置１は、外線ＩＦ部１１と、内線ＩＦ部１２と、主装置制御部１３と、参加者電話番号・会議形態制御部１４と、会議リスト記憶部１５と、区分別プログラマブルキー割当部１６と、区分リスト記憶部１７と、キー割当リスト記憶部１８と、から構成される。
【００１６】
外線ＩＦ部１１は、電話網３と接続するためのインターフェース部である。
【００１７】
内線ＩＦ部１２は、複数の内線端末２と接続するためのインターフェース部である。
【００１８】
主装置制御部１３は、外線ＩＦ部１１または内線ＩＦ部１２から会議開催要求コマンド１５１を受信したならば、受信した会議開催要求コマンド１５１を参加者電話番号・会議形態制御部１４に送信する。
【００１９】
また、主装置制御部１３は、参加者電話番号・会議形態制御部１４から呼出先電話番号を受信したならば、受信した電話番号を外線ＩＦ部１１および内線ＩＦ部１２のうち、呼出先に応じたインターフェース部へ送信する。
【００２０】
また、主装置制御部１３は、外線ＩＦ部１１または内線ＩＦ部１２から、呼出先端末の応答を受信したならば、応答した端末と電話会議主装置１の間の通話路を確立し、確立した通話数が３以上の場合、電話会議機能を用いて端末間の電話会議を起動し、区分別プログラマブルキー割当部１６に電話会議開催通知および応答した端末の電話番号を送信する。
【００２１】
また、主装置制御部１３は、電話会議開催中に、外線ＩＦ部１１または内線ＩＦ部１２から、新規参加者の電話番号を受信したならば、電話会議参加者の増加を検知し、受信した電話番号を区分別プログラマブルキー割当部１６に送信する。
【００２２】
また、主装置制御部１３は、電話会議開催中に、外線ＩＦ部１１または内線ＩＦ部１２から、電話会議から離席した参加者の電話番号を受信したならば、電話会議参加者の減少を検知し、受信した電話番号を区分別プログラマブルキー割当部１６に送信する。
【００２３】
また、主装置制御部１３は、区分別プログラマブルキー割当部１６から、プログラマブルキーの割当情報を受信した場合、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【００２４】
参加者電話番号・会議形態制御部１４は、主装置制御部１３から会議開催要求コマンド１５１を受信したならば、会議リスト１５０から、受信した会議開催要求コマンド１５１に対応する全ての参加者電話番号１５２を、会議リスト記憶部１５を介して抽出し、抽出した参加者電話番号１５２を主装置制御部１３に送信する。
【００２５】
会議リスト記憶部１５は、会議リスト１５０を記憶する記憶部である。次に、図４を用いて会議リスト１５０について説明する。
【００２６】
図４は、本発明における、会議リスト１５０のテーブルを模式的に表した図である。
【００２７】
図示するように、会議リスト１５０は、会議開催要求コマンド１５１と、参加者電話番号１５２のフィールドから構成される。
【００２８】
会議開催要求コマンド１５１は、電話会議の主催者が、複数の内線端末２のうちいずれか１端末から、もしくは電話網３に接続された端末のうちいずれか１端末から、ダイヤル操作にて電話会議主装置１に設定および入力可能なコマンドであって、参加者電話番号・会議形態制御部１４が主装置制御部１３より受信し、会議リスト記憶部１５から、受信した会議開催要求コマンド１５１に対応する参加者電話番号１５２を抽出する際に用いられるコマンドである。
【００２９】
参加者電話番号１５２は、１つの会議開催要求コマンド１５１に対して複数個が登録可能な電話番号であって、参加者電話番号・会議形態制御部１４が、ある会議開催要求コマンド１５１を受信したならば、受信した会議開催要求コマンド１５１に応じて参加者電話番号・会議形態制御部１４によって抽出され、参加者電話番号・会議形態制御部１４から主装置制御部１３へ送信され、外線ＩＦ部１１または内線ＩＦ部１２を介して呼び出される電話番号である。図１の説明に戻る。
【００３０】
区分別プログラマブルキー割当部１６は、主装置制御部１３から、電話会議開催通知を受信したならば、区分リスト記憶部１７に区分リスト１７０を、キー割当リスト記憶部１８にキー割当リスト１８０を、それぞれ生成する。
【００３１】
また、区分別プログラマブルキー割当部１６は、電話会議開催時に主装置制御部１３から参加者の電話番号を受信したならば、受信した電話番号が市外局番を含む電話番号であるか、内線番号であるか、そのどちらでもないかを判定し、その結果に応じて、区分リスト記憶部１７を介して区分リスト１７０に区分番号１７１、プログラマブルキー番号１７２、および電話番号１７３を追加し、区分番号を割り当て、区分番号毎にプログラマブルキー番号と電話番号を対応付けて割り当てる、または、キー割当リスト記憶部１８を介してキー割当リスト１８０にプログラマブルキー番号１８１、電話番号/区分番号１８２を追加し、プログラマブルキー番号と電話番号を対応付けて割り当てる。但し、区分リスト１７０に区分番号を割り当て、区分番号毎にプログラマブルキー番号と電話番号を割り当てた場合は、その後、キー割当リスト記憶部１８を介してキー割当リスト１８０にプログラマブルキー番号１８１、電話番号/区分番号１８２を追加し、プログラマブルキー番号と前記区分番号を対応付けて割り当てる。
【００３２】
また、区分別プログラマブルキー割当部１６は、電話会議中に主装置制御部１３から、新規参加者の電話番号を受信したならば、新規参加者の電話番号を、キー割当リスト記憶部１８を介してキー割当リスト１８０にプログラマブルキー番号１８１、電話番号/区分番号１８２を追加し、プログラマブルキー番号と電話番号を対応付けて割り当てる、または、区分リスト記憶部１７を介して区分リスト１７０に区分番号１７１、プログラマブルキー番号１７２、および電話番号１７３を追加し、区分番号を割り当て、区分番号毎にプログラマブルキー番号と電話番号を対応付けて割り当てする。
【００３３】
また、区分別プログラマブルキー割当部１６は、電話会議中に主装置制御部１３から、電話会議から離席した参加者の電話番号を受信したならば、該当する電話番号を区分リスト１７０またはキー割当リスト１８０から検索し、削除する。
【００３４】
また、区分別プログラマブルキー割当部１６は、電話会議開催時または電話会議中に参加者の人数が変化した時、区分リスト１７０およびキー割当リスト１８０のプログラマブルキーの割当情報を主装置制御部１３に送信し、電話会議主催者端末のプログラマブルキーの割当を変更する。
【００３５】
区分リスト記憶部１７は、区分リスト１７０を記憶する記憶部である。次に、図５を用いて区分リスト１７０について説明する。
【００３６】
図５は、本発明における、区分リスト１７０を模式的に表した図である。
【００３７】
図示するように、区分リスト１７０は、区分番号１７１と、プログラマブルキー番号１７２と、電話番号１７３のフィールドから構成される。
【００３８】
区分番号１７１は、生成された区分毎に０１から昇順に割り当てられる番号であって、キー割当リスト１８０の電話番号/区分番号１８２に割り当てられる番号である。
【００３９】
プログラマブルキー番号１７２および電話番号１７３は、１つの区分番号１７１に対して複数個が割当可能であり、且つプログラマブルキー番号１７２と電話番号１７３は１対１で対応する。
【００４０】
プログラマブルキー番号１７２は、０１から昇順に割り当てられる番号で、主催者端末に複数具備されたランプ機能付きプログラマブルキーのキー番号に対応し、割り当てられた電話番号１７３の参加者をランプの点灯・点滅・消灯によって表示する。
【００４１】
電話番号１７３には、電話会議開催時に区分別プログラマブルキー割当部１６が主装置制御部１３から受信した電話番号のうち、区分リスト１７０に登録された電話番号が割り当てられる。
【００４２】
また、電話番号１７３には、電話会議中に区分別プログラマブルキー割当部１６が主装置制御部１３から受信した新規参加者の電話番号のうち、区分リスト１７０に登録された電話番号が割り当てられる。
【００４３】
また、電話会議中に区分別プログラマブルキー割当部１６が主装置制御部１３から、離席した参加者の電話番号を受信したならば、区分別プログラマブルキー割当部１６によって、電話番号１７３から検索および削除される。
【００４４】
電話会議主催者は、自端末に割り当てられたプログラマブルキーのうち、区分番号１７１が割り当てられたプログラマブルキーを押下する事で、プログラマブルキーの割当を、キー割当リスト１８０による割当から、押下されたプログラマブルキーに割り当てられていた区分番号に対応する区分リスト１７０による割当に切り替える事が出来る。図１の説明に戻る。キー割当リスト記憶部１８は、キー割当リスト１８０を記憶する記憶部である。
【００４５】
図６は、本発明における、キー割当リスト１８０を模式的に表した図である。
【００４６】
図示するように、キー割当リスト１８０は、プログラマブルキー番号１８１と、電話番号/区分番号１８２とから構成される。
【００４７】
プログラマブルキー番号１８１は、０１から昇順に割り当てられる番号で、主催者端末に複数具備されたランプ機能付きプログラマブルキーのキー番号に対応し、割り当てられた電話番号/区分番号１８２の参加者をランプの点灯・点滅・消灯によって表示する。
【００４８】
電話番号/区分番号１８２には、電話会議開催時に区分別プログラマブルキー割当部１６が主装置制御部１３から受信した電話番号のうち、キー割当リスト１８０に登録された電話番号および区分リスト１７０に登録された区分番号１７１のいずれかが割り当てられる。
【００４９】
また、電話番号/区分番号１８２には、電話会議中に区分別プログラマブルキー割当部１６が主装置制御部１３から受信した新規参加者の電話番号のうち、キー割当リスト１８０に登録された電話番号および区分リスト１７０に登録された区分番号１７１のいずれかが割り当てられる。
【００５０】
また、電話会議中に区分別プログラマブルキー割当部１６が主装置制御部１３から、離席した参加者の電話番号を受信したならば、区分別プログラマブルキー割当部１６によって、電話番号/区分番号１８２から検索および削除される。
【００５１】
電話会議主催者の端末には、キー割当リスト１８０によるプログラマブルキー割当が表示される。具体的には、プログラマブルキー番号１８１の０１、０２・・・がそれぞれ、端末に具備されたプログラマブルキー番号０１、０２、・・・に対応しており、プログラマブルキー番号１８１に対応する電話番号/区分番号１８２の参加者または区分をランプの点灯・点滅・消灯によって表示する。図１の説明に戻る。
【００５２】
内線端末２は、ランプ機能付きプログラマブルキーを複数具備し、電話会議主装置１からの指示に応じて前記ランプを点灯（赤や緑）または消灯・点滅する。
【００５３】
図２は、電話会議主装置１が電話会議を開催する場合の動作フローチャートである。本フローは、電話会議主装置１の電源が投入された状態から開始される。
【００５４】
まず、電話会議主装置１は、内線ＩＦ部１２を介して複数の内線端末２のうちいずれか１端末から、もしくは外線ＩＦ部１１を介して電話網３から、主装置制御部１３にて電話会議開催要求を受信するのを待つ（Ｓ２０１）。
【００５５】
電話会議開催要求以外を受信したならば（Ｓ２０１でＮｏ）、主装置制御部１３は、受信した要求に応じた呼制御処理を実行する（Ｓ２０２）。
【００５６】
電話会議開催要求を受信したならば（Ｓ２０１でＹｅｓ）、主装置制御部１３は、電話会議開催要求の送信元となった、複数の内線端末２のうちいずれか１端末、もしくは電話網３に接続された端末のうちいずれか１端末を、電話会議の主催者端末として、電話会議を開催し（Ｓ２０３）、区分別プログラマブルキー割当部１６へ電話会議開催通知を送信する。尚、電話会議の開催については公知の技術であるため、説明は省略する。
【００５７】
その後、区分別プログラマブルキー割当部１６は、区分リスト記憶部１７に区分リスト１７０を、キー割当リスト記憶部１８にキー割当リスト１８０を、それぞれ生成する（Ｓ２０４）。
【００５８】
その後、主装置制御部１３は電話会議に参加している複数の内線端末２および電話網３に接続された端末の電話番号を全て抽出し、抽出した電話番号をソートし、ソートした電話番号を区分別プログラマブルキー割当部１６へ送信する（Ｓ２０５）。
【００５９】
また、本実施例では、まず、主装置制御部１３は、桁数が３桁以下の電話番号を抽出し、桁数の降順および番号の昇順にソートするものとする。さらに、桁数が４桁以上の電話番号については、桁数の降順および上４桁の値の昇順にソートするものとする。
【００６０】
次に、区分別プログラマブルキー割当部１６は、ステップ２０５にて抽出した電話番号の中に、市外局番を含む電話番号が存在するか否かを判定する（Ｓ２０６）。
また、本実施例では、区分別プログラマブルキー割当部１６は、市外局番を含む電話番号を、「上４桁が０ＡＢＪの形式である電話番号」と定義するものとする。
【００６１】
市外局番を含む電話番号が存在するならば（Ｓ２０６でＹｅｓ）、区分別プログラマブルキー割当部１６は、その電話番号と同様の市外局番を持つ他の電話番号を、ステップ２０５にて主装置制御部１３から受信した電話番号の中から検索し、ある１つの市外局番を持つ電話番号を全て抽出する（Ｓ２０７）。この時、区分別プログラマブルキー割当部１６は、ステップ２０７にて抽出した電話番号をステップ２０５にて主装置制御部１３から受信した電話番号から削除する。
【００６２】
次に、区分別プログラマブルキー割当部１６は、ステップ２０７にて抽出した電話番号の数を判定し（Ｓ２０８）、抽出した電話番号が複数件存在するならば（Ｓ２０８でＹｅｓ）、その電話番号の数だけステップ２０４にて生成した区分リスト１７０にプログラマブルキー番号１７２および電話番号１７３を追加する。さらに、追加したこれらプログラマブルキー番号１７２および電話番号１７３に対応する区分番号１７１を１件追加する（Ｓ２０９）。
【００６３】
その後、区分別プログラマブルキー割当部１６は、ステップ２０９にて追加した電話番号１７３に、ステップ２０７で抽出した電話番号を全て昇順に割り当て、プログラマブルキー番号１７２にキー番号を０１から昇順となるように割り当てる（Ｓ２１０）。
次に、区分別プログラマブルキー割当部１６は、区分番号１７１に、未使用区分番号のうち最若番の区分番号を０１から昇順となるように割り当てる（Ｓ２１１）。
【００６４】
その後、区分別プログラマブルキー割当部１６は、ステップ２０４にて生成したキー割当リスト１８０にプログラマブルキー番号１８１および電話番号/区分番号１８２をそれぞれ１件追加する（Ｓ２１２）。
次に、区分別プログラマブルキー割当部１６は、ステップ２１２にて追加した電話番号/区分番号１８２に、ステップ２１１にて割り当てた区分番号を割り当てる（Ｓ２１３）。
次に、区分別プログラマブルキー割当部１６は、ステップ２１２にて追加したプログラマブルキー番号１８１に、キー番号を０１から昇順となるように割り当てる（Ｓ２１４）。ステップ２１４が終了した場合、ステップ２０６に戻る。
【００６５】
また、ステップ２０７にて抽出した電話番号が１件のみであった場合（Ｓ２０８でＮｏ）、区分別プログラマブルキー割当部１６は、ステップ２０４にて生成したキー割当リスト１８０にプログラマブルキー番号１８１および電話番号/区分番号１８２をそれぞれ１件追加する（Ｓ２１５）。
次に、区分別プログラマブルキー割当部１６は、ステップ２１５にて追加した電話番号/区分番号１８２に、ステップ２０７にて抽出した電話番号を割り当てる（Ｓ２１６）。
その後、区分別プログラマブルキー割当部１６は、ステップ２１５にて追加したプログラマブルキー番号１８１に、キー番号を０１から昇順となるように割り当てる（Ｓ２１７）。ステップ２１７が終了した場合、ステップ２０６に戻る。
【００６６】
以上のステップ２０６〜ステップ２１７を、区分別プログラマブルキー割当部１６は、ステップ２０５にて主装置制御部１３から受信した電話番号内に市外局番を含む電話番号が存在しなくなるまで繰り返す。
【００６７】
ステップ２０５にて主装置制御部１３から受信した電話番号内に市外局番を含む電話番号が存在しないと判定した場合（Ｓ２０６でＮｏ）、次に、区分別プログラマブルキー割当部１６は、ステップ２０５にて主装置制御部１３から受信した電話番号内に内線番号が存在するか否かを判定する（Ｓ２１８）。
また、本実施例では、区分別プログラマブルキー割当部１６は、内線番号を「総桁数が３桁である電話番号」と定義するものとする。
【００６８】
内線番号が存在するならば（Ｓ２１８でＹｅｓ）、区分別プログラマブルキー割当部１６は、ステップ２０５にて主装置制御部１３から受信した電話番号から内線番号を全て抽出する（Ｓ２１９）。この時、区分別プログラマブルキー割当部１６は、ステップ２１９にて抽出した電話番号をステップ２０５にて主装置制御部１３から受信した電話番号から削除する。
【００６９】
次に、区分別プログラマブルキー割当部１６は、ステップ２１９にて抽出した内線番号の数を判定し（Ｓ２２０）、抽出した内線番号が複数件存在するならば（Ｓ２２０でＹｅｓ）、その内線番号の数だけステップ２０４にて生成した区分リスト１７０にプログラマブルキー番号１７２および電話番号１７３を追加する。さらに、追加したこれらプログラマブルキー番号１７２および電話番号１７３に対応する区分番号１７１を１件追加する（Ｓ２２１）。
【００７０】
その後、区分別プログラマブルキー割当部１６は、ステップ２２１にて追加した電話番号１７３に、ステップ２１９で抽出した内線番号を全て昇順に割り当て、プログラマブルキー番号１７２にキー番号を０１から昇順となるように割り当てる（Ｓ２２２）。
次に、区分別プログラマブルキー割当部１６は、区分番号１７１に、未使用区分番号のうち最若番の区分番号を０１から昇順となるように割り当てる（Ｓ２２３）。
【００７１】
その後、区分別プログラマブルキー割当部１６は、ステップ２０４にて生成したキー割当リスト１８０にプログラマブルキー番号１８１および電話番号/区分番号１８２をそれぞれ１件追加する（Ｓ２２４）。
次に、区分別プログラマブルキー割当部１６は、ステップ２２４にて追加した電話番号/区分番号１８２に、ステップ２２３にて割り当てた区分番号を割り当てる（Ｓ２２５）。
次に、区分別プログラマブルキー割当部１６は、ステップ２２４にて追加したプログラマブルキー番号１８１に、キー番号を０１から昇順となるように割り当てる（Ｓ２２６）。ステップ２２６が終了した場合、ステップ２１８に戻る。
【００７２】
また、ステップ２１９にて抽出した内線番号が１件のみであった場合（Ｓ２２０でＮｏ）、区分別プログラマブルキー割当部１６は、ステップ２０４にて生成したキー割当リスト１８０にプログラマブルキー番号１８１および電話番号/区分番号１８２をそれぞれ１件追加する（Ｓ２２７）。
【００７３】
次に、区分別プログラマブルキー割当部１６は、ステップ２２７にて追加した電話番号/区分番号１８２に、ステップ２１９にて抽出した内線番号を割り当てる（Ｓ２２８）。
その後、区分別プログラマブルキー割当部１６は、ステップ２２７にて追加したプログラマブルキー番号１８１に、キー番号を０１から昇順となるように割り当てる（Ｓ２２９）。ステップ２２９が終了した場合、ステップ２１８に戻る。
【００７４】
以上のステップ２１８〜ステップ２２９を、区分別プログラマブルキー割当部１６は、ステップ２０５にて主装置制御部１３から受信した電話番号内に内線番号が存在しなくなるまで繰り返す。
また、本実施例では、内線番号は一度に全て抽出する為、ステップ２１８〜ステップ２２９は１回しか行わないものとする。
【００７５】
ステップ２０５にて主装置制御部１３から受信した電話番号内に内線番号が存在しないと判定した場合（Ｓ２１８でＮｏ）、次に、区分別プログラマブルキー割当部１６は、ステップ２０５にて主装置制御部１３から受信した電話番号が残っているならば、残っている電話番号を全て抽出する（Ｓ２３０）。この時、区分別プログラマブルキー割当部１６は、ステップ２３０にて抽出した電話番号をステップ２０５にて主装置制御部１３から受信した電話番号から削除する。
また、本実施例では、区分別プログラマブルキー割当部１６は、主に携帯電話番号やフリーダイヤルといった、市外局番を含む電話番号でなく、且つ内線番号でもない電話番号を、ステップ２３０にて抽出するものとする。
【００７６】
ステップ２３０にて電話番号を抽出した場合、区分別プログラマブルキー割当部１６は、ステップ２０４にて生成したキー割当リスト１８０にプログラマブルキー番号１８１および電話番号/区分番号１８２を、ステップ２３０にて抽出した電話番号の数だけ追加する（Ｓ２３１）。
【００７７】
次に、区分別プログラマブルキー割当部１６は、ステップ２３１にて追加した電話番号/区分番号１８２に、ステップ２３０にて抽出した電話番号を全て、桁数の降順および番号の昇順に割り当てる（Ｓ２３２）。
その後、区分別プログラマブルキー割当部１６は、ステップ２３１にて追加したプログラマブルキー番号１８１に、キー番号を０１から昇順となるように割り当てる（Ｓ２３３）。ステップ２３３まで終了したら、図３に示すステップ２３４へ移行する。
【００７８】
ステップ２３３まで終了した時点で、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【００７９】
図３は、電話会議主装置１が電話会議中の動作フローチャートである。本フローは、図２で示したステップ２０１〜ステップ２３３まで全て終了し、電話会議が開催中となっている状態で開始される。
【００８０】
まず、電話会議主装置１は、新たな参加者が電話会議に参加するのを待つ（Ｓ２３４）。具体的には、電話会議主装置１は、複数の内線端末２のうちいずれか１端末を使用する参加者が電話会議に参加した場合は内線ＩＦ部１２を介して、もしくは、電話網３に接続された端末のうちいずれか１端末を使用する参加者が電話会議に参加した場合は外線ＩＦ部１１を介して、主装置制御部１３にて参加者の増加を検知するのを待つ。
【００８１】
新たな参加者が電話会議に参加した場合（Ｓ２３４でＹｅｓ）、主装置制御部１３は、ステップ２３４にて参加した参加者の電話番号を区分別プログラマブルキー割当部１６に送信する。
区分別プログラマブルキー割当部１６は、ステップ２３４にて参加した参加者の電話番号と、図２で示したステップ２０４にて生成したキー割当リスト１８０に登録されている電話番号を比較する（Ｓ２３５）。
【００８２】
ステップ２３５における比較の結果、ステップ２３４にて参加した参加者の電話番号と、キー割当リスト１８０に登録されている電話番号のうちいずれか１件が、共通の市外局番を含んでいると判定した場合（Ｓ２３６でＹｅｓ）、区分別プログラマブルキー割当部１６は、図２で示したステップ２０４にて生成した区分リスト１７０にプログラマブルキー番号１７２および電話番号１７３をそれぞれ２件ずつ追加する。さらに、追加したこれらプログラマブルキー番号１７２および電話番号１７３に対応する区分番号１７１を１件追加する（Ｓ２３７）。
【００８３】
その後、区分別プログラマブルキー割当部１６は、キー割当リスト１８０から、ステップ２３６にて共通の市外局番を含んでいると判定した電話番号を抽出し、ステップ２３７にて追加した電話番号１７３に、ステップ２３４にて参加した参加者の電話番号と、キー割当リスト１８０から抽出した電話番号を、番号が昇順となるように割り当てる（Ｓ２３８）。
【００８４】
その後、区分別プログラマブルキー割当部１６は、ステップ２３７にて追加したプログラマブルキー番号１７２に、キー番号を０１から昇順となるように割り当てる（Ｓ２３９）。
【００８５】
その後、区分別プログラマブルキー割当部１６は、ステップ２３７にて追加した区分番号１７１に、未使用区分番号のうち最若番の区分番号を０１から昇順となるように割り当てる（Ｓ２４０）。
【００８６】
最後に、区分別プログラマブルキー割当部１６は、キー割当リスト１８０の有する電話番号/区分番号１８２のうち、ステップ２３８にて抽出した電話番号が割り当てられていた電話番号/区分番号１８２のデータを、ステップ２４０で割り当てた区分番号に書き換える（Ｓ２４１）。
【００８７】
ステップ２４１まで終了した時点で、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【００８８】
ステップ２３４にて参加した参加者の電話番号と、キー割当リスト１８０に登録されている全ての電話番号が、共通の市外局番を含んでいないと判定した場合（Ｓ２３６でＮｏ）、区分別プログラマブルキー割当部１６は、ステップ２３４にて参加した参加者の電話番号が内線番号か否か、且つ、キー割当リスト１８０に内線番号が登録されているか否かを判定する（Ｓ２４２）。
【００８９】
ステップ２３４にて参加した参加者の電話番号が内線番号であり、且つ、キー割当リスト１８０に内線番号が登録されていると判定した場合（Ｓ２４２でＹｅｓ）、区分別プログラマブルキー割当部１６は、図２で示したステップ２０４にて生成した区分リスト１７０にプログラマブルキー番号１７２および電話番号１７３をそれぞれ２件ずつ追加する。さらに、追加したこれらプログラマブルキー番号１７２および電話番号１７３に対応する区分番号１７１を１件追加する（Ｓ２４３）。
【００９０】
その後、区分別プログラマブルキー割当部１６は、キー割当リスト１８０から内線番号を抽出し、ステップ２４３にて追加した電話番号１７３に、ステップ２３４にて参加した参加者の内線番号と、キー割当リスト１８０から抽出した内線番号を、番号が昇順となるように割り当てる（Ｓ２４４）。
【００９１】
その後、区分別プログラマブルキー割当部１６は、ステップ２４３にて追加したプログラマブルキー番号１７２に、キー番号を０１から昇順となるように割り当てる（Ｓ２４５）。
その後、区分別プログラマブルキー割当部１６は、ステップ２４３にて追加した区分番号１７１に、未使用区分番号のうち最若番の区分番号を０１から昇順となるように割り当てる（Ｓ２４６）。
【００９２】
最後に、区分別プログラマブルキー割当部１６は、キー割当リスト１８０の有する電話番号/区分番号１８２のうち、ステップ２４４にて抽出した内線番号が割り当てられていた電話番号/区分番号１８２のデータを、ステップ２４６で割り当てた区分番号に書換える（Ｓ２４７）。
【００９３】
ステップ２４７まで終了した時点で、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【００９４】
ステップ２３４にて参加した参加者の電話番号が内線番号であるがキー割当リスト１８０に内線番号が登録されていない、またはキー割当リスト１８０に内線番号が登録されているがステップ２３４にて参加した参加者の電話番号が内線番号でない、またはステップ２３４にて参加した参加者の電話番号が内線番号でなく且つキー割当リスト１８０に内線番号が登録されていない、のいずれかと判定した場合（Ｓ２４２でＮｏ）、区分別プログラマブルキー割当部１６は、ステップ２３４にて参加した参加者の電話番号と区分リスト１７０に登録されている全ての電話番号の比較を行う（Ｓ２４８）。
【００９５】
ステップ２４８における比較の結果、ステップ２３４にて参加した参加者の電話番号が、区分リスト１７０に登録されている電話番号のうち、いずれか２件以上の電話番号と共通の市外局番を含むと判定した場合（Ｓ２４９でＹｅｓ）、区分別プログラマブルキー割当部１６は、区分リスト１７０のうち、ステップ２３４にて参加した参加者の電話番号と共通の市外局番を含む電話番号が割り当てられた電話番号１７３を有する区分番号１７１に対応するプログラマブルキー番号１７２および電話番号１７３をそれぞれ１件ずつ追加する（Ｓ２５０）。
【００９６】
その後、区分別プログラマブルキー割当部１６は、ステップ２５０にて追加した電話番号１７３に、ステップ２３４にて参加した参加者の電話番号を割り当てる（Ｓ２５１）。
【００９７】
その後、区分別プログラマブルキー割当部１６は、ステップ２５０にて追加したプログラマブルキー番号１７２にキー番号を０１から昇順となるように割り当てる（Ｓ２５２）。
【００９８】
ステップ２５２まで終了した時点で、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【００９９】
ステップ２３４にて参加した参加者の電話番号と、区分リスト１７０に登録されている全ての電話番号が、共通の市外局番を含まないと判定した場合（Ｓ２４９でＮｏ）、区分別プログラマブルキー割当部１６は、ステップ２３４にて参加した参加者の電話番号が内線番号で、且つ、区分リスト１７０に内線番号が登録されているか否かを判定する（Ｓ２５３）。ステップ２３４にて参加した参加者の電話番号が内線番号であり、且つ、区分リスト１７０に内線番号が登録されていると判定した場合（Ｓ２５３でＹｅｓ）、区分別プログラマブルキー割当部１６は、区分リスト１７０のうち、内線番号が割り当てられた電話番号１７３を有する区分番号１７１に対応するプログラマブルキー番号１７２および電話番号１７３をそれぞれ１件ずつ追加する（Ｓ２５４）。
その後、区分別プログラマブルキー割当部１６は、ステップ２５４にて追加した電話番号１７３に、ステップ２３４にて参加した参加者の内線番号を割り当てる（Ｓ２５５）。
【０１００】
その後、区分別プログラマブルキー割当部１６は、ステップ２５４にて追加したプログラマブルキー番号１７２にキー番号を０１から昇順となるように割り当てる（Ｓ２５６）。
ステップ２５６まで終了した時点で、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【０１０１】
また、ステップ２３４にて参加した参加者の電話番号が内線番号であるが区分リスト１７０に内線番号が登録されていない、または区分リスト１７０に内線番号が登録されているがステップ２３４にて参加した参加者の電話番号が内線番号でない、またはステップ２３４にて参加した参加者の電話番号が内線番号でなく且つ区分リスト１７０に内線番号が登録されていない、のいずれかと判定した場合（Ｓ２５３でＮｏ）、区分別プログラマブルキー割当部１６は、キー割当リスト１８０にプログラマブルキー番号１８１および電話番号/区分番号１８２をそれぞれ１件ずつ追加する（Ｓ２５７）。
【０１０２】
その後、区分別プログラマブルキー割当部１６は、ステップ２５７で追加した電話番号/区分番号１８２に、ステップ２３４にて参加した参加者の電話番号を割り当てる（Ｓ２５８）。
その後、区分別プログラマブルキー割当部１６は、ステップ２５７で追加したプログラマブルキー番号１８１に、キー番号を０１から昇順となるように割り当てる（Ｓ２５９）。
【０１０３】
ステップ２５９まで終了した時点で、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【０１０４】
また、新たな参加者が電話会議に参加しない場合（Ｓ２３４でＮｏ）、電話会議主装置１は、電話会議に参加している参加者が電話会議から離席するのを待つ（Ｓ２６０）。具体的には、複数の内線端末２のうちいずれか１端末を使用する参加者が電話会議から離席した場合は内線ＩＦ部１２を介して、もしくは、電話網３に接続された端末のうちいずれか１端末を使用する参加者が電話会議から離席した場合は外線ＩＦ部１１を介して、主装置制御部１３にて参加者の減少を検知するのを待つ。
【０１０５】
参加者が電話会議から離席しなければ（Ｓ２６０でＮｏ）、ステップ２３４に戻り、電話会議主装置１は、新たな参加者が電話会議に参加するのを待つ。
【０１０６】
参加者が電話会議から離席した場合（Ｓ２６０でＹｅｓ）、主装置制御部１３は、外線ＩＦ部１１または内線ＩＦ部１２を介して通知された離席した参加者の電話番号を、区分別プログラマブルキー割当部１６に送信する。
区分別プログラマブルキー割当部１６は、受信した電話番号と一致する電話番号をキー割当リスト１８０から検索する（Ｓ２６１）。
【０１０７】
ステップ２６１における検索の結果、キー割当リスト１８０に離席した参加者の電話番号が登録されていた場合（Ｓ２６２でＹｅｓ）、区分別プログラマブルキー割当部１６は、キー割当リスト１８０から、離席した参加者の電話番号を削除する（Ｓ２６３）。
【０１０８】
ステップ２６３にて電話番号を削除した後、区分別プログラマブルキー割当部１６は、ステップ２６３終了時点での電話会議の参加者人数を判定する（Ｓ２６４）。具体的には、区分別プログラマブルキー割当部１６は、キー割当リスト１８０および区分リスト１７０に登録されている全電話番号の件数を主装置制御部１３へ送信する。
【０１０９】
参加者人数が３人以上であった場合（Ｓ２６４でＹｅｓ）、ステップ２３４に戻り、区分別プログラマブルキー割当部１６は、区分リスト記憶部１７およびキー割当リスト記憶部１８のプログラマブルキーの割当情報を、主装置制御部１３に送信する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末にプログラマブルキーの割当情報を送信する。
【０１１０】
参加者人数が３人未満であった場合（Ｓ２６４でＮｏ）、主装置制御部１３は、会議通話終了通知を区分別プログラマブルキー割当部１６へ送信する。
その後、区分別プログラマブルキー割当部１６は、図２で示したステップ２０４にて生成した区分リスト１７０およびキー割当リスト１８０を削除する（Ｓ２６５）。具体的には、区分別プログラマブルキー割当部１６は、区分リスト記憶部１７およびキー割当リスト記憶部１８のプログラマブルキーの割当情報を削除し、主装置制御部１３へ通知する。
その後、主装置制御部１３は、複数の内線端末２のうちいずれか１端末が主催者端末である場合は内線ＩＦ部１２を介して、もしくは、電話網３に接続された端末のうちいずれか１端末が主催者端末である場合は外線ＩＦ部１１を介して、主催者端末に、会議通話開始前のプログラマブルキーの割当情報を送信する。その後、図２で示したステップ２０１に戻る。
【０１１１】
ステップ２６１における検索の結果、キー割当リスト１８０に離席した参加者の電話番号が登録されていないと判定した場合（Ｓ２６２でＮｏ）、区分別プログラマブルキー割当部１６は、区分リスト１７０に登録されている全ての電話番号から、離席した参加者の電話番号を検索し、離席した参加者の電話番号を削除する（Ｓ２６６）。その後、ステップ２３４に戻る。
【０１１２】
以上、本発明を実施する一形態について、説明した。
【０１１３】
本発明を実施する形態によれば、電話会議主装置１は、区分別プログラマブルキー割当部１６が、主装置制御部１３から所定のイベントを受け付けたならば、区分リスト１７０およびキー割当リスト１８０の生成または更新を行い、複数のプログラマブルキーに対する１以上の参加者の割当を変更すると共に、主装置制御部１３によって複数のプログラマブルキーに対してランプ表示を行うことで、各々のプログラマブルキーに割り当てた会議参加者を視覚的に表示する。
【０１１４】
これにより、電話会議主装置１は、複数の内線端末２と外線が参加する電話会議において、参加者を連絡先電話番号毎に所定のルールで区分し、参加者を特定のプログラマブルキーに割り当てることで、実際に電話機に具備されたプログラマブルキーの数以上に多数の参加者の情報を表示できるようになる。さらに、会議中に参加者が増加し、参加者の数が主催者の想定した人数以上となった場合でも、プログラマブルキーが不足する事無く、利便性が損なわれることの無い会議通話を提供することができる。
【０１１５】
また、本発明を実施する形態によれば、電話会議主装置１に含まれる区分別プログラマブルキー割当部１６は、区分リスト１７０およびキー割当リスト１８０を生成した際に、主装置制御部１３から受信した電話会議参加者の電話番号のうち、市外局番が同一である電話番号の有無、または内線番号である電話番号の有無を判定することによって、各々の電話番号が属する区分を決定する。その後、区分リスト１７０に区分番号１７１、プログラマブルキー番号１７２、電話番号１７３を、キー割当リスト１８０にプログラマブルキー番号１８１、電話番号/区分番号１８２を、それぞれ必要に応じて追加し、割り当てた区分番号１７１、または、いずれの区分にも属さないと判定された参加者の電話番号を、キー割当リスト１８０に割り当てる。
【０１１６】
これにより、電話会議主装置１は、主催者による特別な操作が無くても、電話会議開催時に、参加者の電話番号を１乃至複数の区分に自動で分類し、区分毎に、主催者端末に具備された複数のプログラマブルキーのいずれかに割り当てる事が出来る。また、プログラマブルキーに、ある１つの区分が割り当てられている場合は、プログラマブルキー押下により、割り当てられている区分に対応する区分番号１７１、および区分番号１７１に対応するプログラマブルキー番号１７２、電話番号１７３を呼び出し、主催者端末のプログラマブルキーの割当を、呼び出された区分のプログラマブルキー番号１７２および電話番号１７３の割当情報に従った割当に変更する。従って、１つのプログラマブルキーに対して複数の参加者電話番号を割り当てることができる。
【０１１７】
また、本発明を実施する形態によれば、電話会議主装置１に含まれる区分別プログラマブルキー割当部１６は、主装置制御部１３から受信した、会議に加わった参加者の電話番号が、区分リスト１７０のうちいずれかの区分番号１７１に対応する電話番号１７３に追加されるか、またはキー割当リスト１８０に登録されている既存の参加者電話番号のうちいずれか１件と同一区分であると判定され、区分リスト１７０に、既存の参加者電話番号と共に登録されるか、またはキー割当リスト１８０に登録されるかのいずれかを判定し、区分リスト１７０およびキー割当リスト１８０を更新する。
また、電話会議主装置１に含まれる区分別プログラマブルキー割当部１６は、電話会議中にいずれかの参加者が会議から離席した場合、主装置制御部１３から受信した、会議から離席した参加者の電話番号と一致する電話番号を、区分リスト１７０およびキー割当リスト１８０から検索し、検索に該当した電話番号を削除すると共に、参加者が離席した結果、電話会議の参加者の人数が２人以下となった場合は主装置制御部１３から会議通話終了通知を受信し、区分リスト１７０およびキー割当リスト１８０を削除する。
【０１１８】
これにより、電話会議主装置１は、電話会議中に会議の参加者が増加または減少し、プログラマブルキーの割当を変更する必要が発生した場合でも、プログラマブルキーの割当を即座に変更し、主催者端末に反映させることができ、より利便性の高い会議参加者表示機能を提供することができる。
【０１１９】
また、本発明を実施する形態によれば、電話会議主装置１は、主催者が、参加者の電話番号または区分番号が割り当てられた任意のプログラマブルキーを押下すると、押下されたプログラマブルキーに割り当てられた電話番号または区分番号を主装置制御部１３に送信し、主装置制御部１３は、区分別プログラマブルキー割当部１６を介して区分リスト１７０またはキー割当リスト１８０から、押下されたキー番号または区分番号に対応する電話番号を抽出する。その後、抽出した電話番号のみの通話路を確立する。また、抽出した電話番号のみの通話路が確立されている状態で、主催者が、再度プログラマブルキーを押下した場合、主装置制御部１３を介して、現在確立している通話路を破棄し、元の会議通話を再開する。
【０１２０】
これにより、電話会議主装置１は、対象の参加者の発言のみを配信する事が可能となり、複数の参加者の意見が飛び交う電話会議において、意見を貰いたい参加者からの発言の聞き漏らしや、発言の再確認等の手戻り防止となる。従って、会議通話の効率を向上させることができる。
【０１２１】
尚、本発明を実施する形態では、区分リスト１７０のプログラマブルキー番号１７２およびキー割当リスト１８０のプログラマブルキー番号１８１の割当において、キー番号を０１から昇順に割り当てる説明をしたが、本願はこれに限定しない。例えば、電話会議主装置１や内線端末２の設定に応じて、割当が可変であってもよい。
【０１２２】
これにより、例えばプログラマブルキーの盤面に会議室の座席配置をイメージして任意に参加者を割り当てるなど、主催者にとって、誰がどのプログラマブルキーに割り当てられているかをより認識しやすくなるという効果がある。
【０１２３】
尚、本発明を実施する形態では、参加者電話番号が内線番号であるか否かを判定する際に、内線番号の定義として、「総桁数が３桁である電話番号」と説明をしたが、本願はこれに限定しない。例えば、電話会議主装置１の設定に応じて内線番号の桁数が可変である場合は、その設定に応じた桁数であれば内線番号として判定可能であってもよい。
【０１２４】
これにより、例えば、参加者電話番号が２桁や４桁の内線番号であった場合も、内線番号として判定し、それに応じた区分リストに割り当てる事が出来る。
【０１２５】
尚、本発明を実施する形態では、「市外局番の上４桁が一致」および「内線番号である」という２通りの区分のルールを説明したが、本願はこれに限定しない。電話会議主装置１の設定に応じて、主催者が使いやすいように区分のルールを変更しても良い。例えば、電話会議開催時に割り当てられた参加者と、電話会議中に会議に参加した参加者を分けることも可能である。
【０１２６】
これにより、電話会議のメインとなる参加者とスポット参加者を、主催者が一目で区別出来るようになる。
【０１２７】
尚、本発明を実施する形態では、内線番号は一括して１つの区分番号に割り当てる、と説明をしたが、本願はこれに限定しない。例えば、電話会議主装置１の設定に応じて、内線番号の上１桁や上２桁の値毎に区分してもよい。または、上記のように内線番号の桁数が可変である場合は、桁数毎に区分してもよい。
【０１２８】
これにより、参加者電話番号に内線番号が多数存在する場合も、より詳細に区分することができ、主催者が、どの参加者がどのプログラマブルキーに割り当てられているのかをより認識しやすくなるという効果がある。
【０１２９】
尚、本発明を実施する形態では、市外局番を含まず、且つ内線番号でない電話番号（主に携帯電話番号やフリーダイヤル）は区分リスト１７０に登録せず、必ずキー割当リスト１８０に登録されると説明したが、本願はこれに限定しない。例えば、電話会議主装置１の設定により、携帯電話番号の上３桁（０７０、０８０、０９０）等で区分しても良い。
【０１３０】
これにより、携帯電話番号の区分も可能となり、参加者電話番号に携帯電話番号が多数存在するような場合にも本発明の利便性が損なわれることが無くなる。
【符号の説明】
【０１３１】
１・・・電話会議主装置、１１・・・外線ＩＦ部、１２・・・内線ＩＦ部、１３・・・主装置制御部、１４・・・参加者電話番号・会議形態制御部、１５・・・会議リスト記憶部、１６・・・区分別プログラマブルキー割当部、１７・・・区分リスト記憶部、１８・・・キー割当リスト記憶部、２・・・内線端末、３・・・電話網。
【図１】
2018160741.tif 000003
【図２】
2018160741.tif 000004
【図３】
2018160741.tif 000005
【図４】
2018160741.tif 000006
【図５】
2018160741.tif 000007
【図６】
2018160741.tif 000008